(57)【要約】物品（１５）の位置の変更あるいはコンベヤー（５）上で搬送される物品の間隔の変更ができるコンベヤー（２）で、このコンベヤーは、駆動手段が動く時に、駆動手段（３，４）の間に設けられたガイドトラック（６，７）に従って動くように設けられた両駆動手段の中間に平行に間隔をおいた数多くの剛性のあるサポート（１０）が固定されている平行で間隔をおいて配置された一対の駆動手段（３,４）を有しており、ガイドトラックは必要に応じて寄ったり、あるいは拡がるように設けられている。各サポートはガイドトラック上に間隔をおいて配置された一対のリテイナーブロック（８，８）を有するとともに、各対のリテイナーブロックの間にある各サポートの周りにコイルスプリングが取付けられていて、このコイルスプリングは、リテイナーブロック間の間隔が増えたり、減ったりするのに応じて伸びたり、縮んだりする。
2005523797.tif 000002
【特許請求の範囲】
【請求項１】
コンベヤーの搬送路の両端に設けられる間隔をおいて平行に配置された一対の駆動手段、前記駆動手段の間にコンベヤーの搬送路に直角な前記サポートの長さ方向の軸で固定され、間隔をおいて平行に配置された剛性のある複数のサポートと、前記駆動手段間に設けられた一対のガイドトラックで、前記ガイドトラックは前記ガイドトラックのある部分で事前に決められた第1の間隔から、前記ガイドトラックの事前に決められた別の部分で事前に決められた第２の間隔まで、寄せたり、ばらかしたりするように設けられており、各サポートは、各対のブロックのひとつが前記ガイドトラックのひとつと連動しており、各対の残りのブロックが前記ガイドトラックの残りと連動して、その上に間隔をおいて取付けられた一対のリテイナーブロックを有しているもの、および、前記駆動手段の間に設けられた一対のガイドトラック、各対のリテイナーブロック間の各サポートの周りに取付けられ、リテイナーブロック間の間隔が増えたり、減ったりするのに応じて、コイルスプリングが長さ方向に伸びたり、縮んだりするようにリテイナーブロックと連動しているコイルスプリングを含むコンベヤー。
【請求項２】
請求項１で請求されたコンベヤーで、各前記駆動手段がドライブチェーンを含むもの。
【請求項３】
請求項１あるいは請求項２で請求されたコンベヤーで、各リテイナーブロックが関連サポートの当該端を通るように設けられた通し穴を有して形成されているもの。
【請求項４】
前請求項までの任意の１請求項で請求されたコンベヤーで、各リテイナーブロックが近接するガイドトラックと連動するように設けられたガイドローラーを含むもの。
【請求項５】
前請求項までの任意の１請求項で請求されたコンベヤーで、各ガイドトラックが各当該リテイナーブロックと連動するように改造したＵ型横断面のチャンネル材を設けているもの。
【請求項６】
請求項１〜４までの任意の１請求項で請求されたコンベヤーで、各ガイドトラックがその長さの第1部分に関し平たい突き合わせ面として形成され、かつその長さの残りの部分に関して当該各リテイナーブロックと連動するように改造されたＵ型横断面のチャンネル材を設けていて、各ガイドトラックの前記残りの長さ部分が、ガイドトラックが前記第1部分と比べてより離れている前記ガイドトラックの長さの部分を含んでいるもの。
【請求項７】
請求項１〜５までの任意の１請求項で請求されたコンベヤーで、各当該コイルスプリングが引張りバネであるもの。
【請求項８】
請求項７で請求されたコンベヤーで、各当該スプリングが当該リテイナーブロックと前記リテイナーブロックの穴が当該サポートの終端を通るように設けられたリテイナーブッシュによって連動するもの。
【請求項９】
請求項１〜５までの任意の１請求項で請求されたコンベヤーで、各前記コイルスプリングが圧縮バネであるもの。
【請求項１０】
請求項９で請求されたコンベヤーで、各前記コイルスプリングが当該リテイナーブロックと前記スプリングの終端と前記ブロックとの間の圧縮連動によって連動するもの。
【請求項１１】
請求項１〜６までの任意の１請求項で請求されたコンベヤーで、各前記コイルスプリングは圧縮バネであるもの。
【請求項１２】
請求項１１で請求されたコンベヤーで、各前記コイルスプリングは当該リテイナーブロックとネジ山のような形で咬合っているもの。
【請求項１３】
前請求項までの任意の１請求項で請求されたコンベヤーで、各コイルスプリングがステンレススチール製であるもの。
【請求項１４】
請求項１〜１２までの任意の１請求項で請求されたコンベヤーで、各コイルスプリングがプラスチック素材製であるもの。
【請求項１５】
前請求項までの任意の１請求項で請求されたコンベヤーで、前記コンベヤーが間隔をおいた前記サポートに平行に延び、かつコンベヤーの上下面の走行面間に設けられた一連のタイロッドによって一体に固定されているもの。
【請求項１６】
請求項１５で請求されたコンベヤーで、１あるいは２本以上の前記タイロッドがエアーナイフであるもの。
【請求項１７】
請求項１５あるいは請求項１６で請求されたコンベヤーで、1あるいは2本以上の前記タイロッドがウォータースプレーを備えるよう改造されているもの。
【請求項１８】
前請求項までの任意の１請求項で請求されたコンベヤーで、前記コンベヤーがその搬送路上にわたり唯一の寄せる部分あるいはばらける部分を設けているもの。
【請求項１９】
請求項１〜１７までの任意の１請求項で請求されたコンベヤーで、前記コンベヤーがその搬送路にわたり2ヶ所以上の寄せる部分あるいはばらける部分あるいはその両方を設けているもの。
【請求項２０】
搬送路あるいは各搬送路上を搬送される製品の個別化ができるように装備された前請求項までの任意の１請求項で請求された１以上のコンベヤー。
【発明の詳細な説明】
【技術分野】
【０００１】
本発明はコンベヤーに関するもので、特に、コンベヤー上の物品の位置、あるいは、コンベヤーの幅方向に一列に並ぶ物品、すなわち、コンベヤーの進行方向に直角な方向に載せられた物品の間の間隔の変更が可能なコンベヤーに関する。
標準的なコンベヤーはコンベヤー上に置かれた物品をその物品の位置や間隔を同じに維持したまま、ある場所から別の場所に単純に動かす。一般に、製造目的のために物品の位置や間隔を変えなくてはならない場合には、コンベヤー上の物品を減らすかあるいは、関連するコンベヤーに物品を動かして向先の変更を行うが、これは一般的にマニアル作業で行われる。
【従来技術】
【０００２】
物品間隔の変更可能な既知のコンベヤーの設計には、各コードがコンベヤーの進行方向と平行に長さ方向に扇状の輪郭をして並べられた一連のポリウレタン製コードで構成されたコンベヤー面が含まれる。このコードは、「扇状」の各点を軸とした間隔をおいて配置されカーブのついた一対の心棒の上に取付けられた駆動ボビンで個別に動く。しかし、このタイプのコンベヤーは油脂分の多い製品あるいは油のような製品（例えばある食品材料の類）について使用するには、コードを動かすのに摩擦を使うため、スリップしやすいので、不適切であることが分かっている。まして、コードにオイルやグリースが加わるとなればこの問題はなおさら悪化する。
さらに、このタイプのコンベヤーは清掃が困難である。
【発明の開示】
【０００３】
上記の問題を克服し、コンベヤー上を流れる物品の位置の変更、あるいは間隔の変更ができるコンベヤーを提供することが本発明の目的である。
「本発明」のコンベヤーは、固形ブロックから切り取って次の加工処理に向けて動かすためにコンベヤー上に直接載せられる食品材料の搬送中の破片や一部の問題を特別に考慮して設計された。フィンガーは固形ブロックから切り出されるため、それらは全部のフィンガ−が相互にくっついた状態でコンベヤー上に載るが、次に行われる加工処理のためにはフィンガーは間隔をおいて切り離される必要がある。しかしながら、コンベヤーに載っている物品をもっと離して間隔をあけるように、あるいはもっと近づけるように動かす必要のある場合に、本発明のコンベヤーは、広範囲にわたり適切な効用があると評価される。さらに、本発明のコンベヤーは、物品の位置の変更をしたり、特に、物品を「単体化する」ために、すなわち、物品が１あるいは２以上のコンベヤーによって配置しなおすことができるコンベヤーの横幅上の任意の場所に位置できるように使用されることができ、その結果、コンベヤーの終点、あるいは一連のコンベヤーの終点に来ている物品がコンベヤー上の予め決められた位置、例えば、コンベヤーの中心に位置することになる。
本発明は、コンベヤーの搬送路の両側に各ひとつ間隔をおいて設けられた平行な一対の駆動手段、コンベヤーの搬送路に直角な前記サポートの長さ方向の軸で前記駆動手段の間に固定された間隔を置いて平行に配置された複数の剛性のあるサポートと、前記駆動手段の間に設けられた一対のガイドトラックで、前記ガイドトラックのある部分で第1に事前設定された間隔から、前記ガイドトラックのもうひとつの事前設定された部分で前記ガイドトラックの第2に事前設定された間隔へと、前記ガイドトラックが狭くなったり、広くなったりするとともに、各サポートが、各対の１ブロックが前記ガイドトラックのひとつと連動していて、各対の残りのブロックが残りの前記ガイドトラックと連動している間隔をおいてサポート上に取付けられた1対のリテイナーブロックを有しているもの、および、リテイナーブロック間の間隔が増えたり、減ったりするにつれてコイルスプリングが長さ方向に伸びたり、縮んだりするようにリテイナーブロックと連動する、各対のリテイナーブロックの間の各サポートの周囲に取付けられたコイルスプリングを含むコンベヤーを提供する。
コイルスプリングは任意の適切な材料（例えば、ステンレススチール、プラスチック）で作ることができるとともに、引張りバネでも圧縮バネでも良い。もしコイルスプリングが引張りバネである場合には、ガイドトラックには、リテイナーブロックとの連動のためにガイドトラックが拡がるにつれてコイルスプリングが伸びるようチャンネル材を設けるのが望ましい。
もし、コイルスプリングが圧縮バネである場合で、仮に圧縮バネの引き延ばしの程度を大きくする必要がある場合には各スプリングと当該ブロックの間に明確な連動、例えば、ネジ山による接合を持たせることが望ましいと判明してはいるが、圧縮バネの終端がリテイナーブロックをただ単純に押すだけで一緒に動かすように連動させても良い。
さらに、もし、コイルスプリングが圧縮スプリングの場合には、ガイドトラックは単純な平たい表面にしてリテイナーブロックが圧縮バネの力によって押されるだけにできる。しかしながら、もし、圧縮バネの引き延ばしの程度を大きくする必要がある場合には、少なくともトラック間の拡がりが大きい場合のガイドトラックの長さの当該部分にわたって、リテイナーブロックとの連動のためのチャンネルを設けたガイドトラックを使用することが望ましいことが判明している。
【図面の簡単な説明】
【０００４】
単に例を挙げて、添付図面を参照しながら本発明の好ましいある具体例を詳細に説明する。
【図１】本発明によるコンベヤーの第１実施例の概略平面図である。
【図２】図１の２―２断面による断面図である。
【図３】図１の１部分詳細の分解平面図である。
【図４】図３の全組立構成部品の側面図である。
【図５】本発明の第２実施例についての図３に相当する分解平面図である。
【図６】全組立構成部品の図５に関する側面図である。
【図７】本発明によるコンベヤーの第３実施例の概略平面図である。
【図８】図７の８―８断面による断面図である。
【図９】図７の一部分詳細の平面図である。
【図１０】図９の側面図である。
【発明の実施形態】
【０００５】
図面を参照すると、コンベヤー２はドライブチェーンの間に位置するコンベヤーベッド５を支持し、駆動させる既知タイプの間隔を置いた平行な2本のドライブチェーン３，４を含んでいる。コンベヤー２は適切なタイプの任意のサポート（非表示）によって土間あるいは床上に支持されている。コンベヤーベッド５は、普通通りに、ドライブチェーンの間に対称に位置しているが、必要であれば非対称に位置させることもできる。
ドライブチェーン３，４はコンベヤーの搬送路の両側に各ひとつずつ位置している。
各ドライブチェーンは任意の適切なタイプのもの、たとえば、チェーンの各巻きの片端あるいは両端のドライブスプロケットによって駆動される連続中空ピンチェーンで良く、片端または両端のドライブスプロケットは電動モーターで回転するもので良い。
コンベヤーベッド５はドライブチェーン３，４の間に対称に配置されて、相対してペアで設けられる複数のリテイナーブロック８を支持する２個のガイドトラック６，７から構成され、各対のリテイナーブロック８は図３〜図６を参照して分かるように、一対のコイルスプリング９，９aが支持されている。
各リテイナーブロック８は、平面は四角形で断面は正方形をしている。各ブロック８には間隔をおいて設けられた一対の通し穴８aが形成され、その各通し穴はブロックの幅を貫通する。各穴８aは、ドライブチェーン３，４間の距離に相当する長さより長いステンレススチール製のロッド１０を受ける。
各ロッド１０は、片端でドライブチェーン３に固定され、リテイナーブロック８の穴８aを貫通し、コンベヤーベッド５の幅方向に延び、その対のもうひとつのリテイナーブロック８の穴８aを貫通して、他端でドライブチェーン４に固定される。
対のリテイナーブロック８は、各対のブロックのひとつがガイドトラック６と連動し、各対の残りのブロックはガイドトラック７と連動するように設けられる。一対の平行なコイルスプリング９は、当該ロッド１０まわりに各対のブロック８の間を伸びる。
図４および図６に示すように、各リテイナーブロック８は、当該ブロックの面にほぼ直角な心棒１２と接してブロックの下部に取付けられたガイドローラー１１を動かす。
図３および図４はコイルスプリングの一配置例を示し、コイルスプリング９はステンレススチール製の引張りバネとなっている。この実施例では、スプリング９の各端部はリテイナーブロック８にある穴８a内に、スクリューリテイナー１８と一体化しているリテイナーブッシュ１７によって固定されている。リテイナー１８はスプリング９がリテイナー１８上の内側のネジ山と咬合うようなサイズで設けられ、スクリューリテイナー１８にはスプリング９と同じピッチでネジが設けられている。スプリング９の各端部を当該リテイナーブロック８に固定するため、ブッシュ１７はリテイナーブロック８に関してコイルスプリング９とは反対側のロッド１０上に取付けられ、穴８aに押し込まれる。ブッシュ１７はスプリング９の各端部を当該リテイナーブロック８に固定するための穴８aの締まりばめであり、所定位置にある場合、心棒１２と連動して心棒１２とローラー１１をブロック８に固定する。その後、コイルスプリング９の片端はスクリューリテイナー１８にねじ込まれる。各コイルスプリング９の各端部は同様な方法で固定される。
図５および図６に二番目の配置例を図示する。この例では、プラスチックの圧縮コイルスプリング９aがスプリング９の代わりに使用されている。スプリング９aが圧縮スプリングであるので、コンベヤーベッドがその最小幅（Ａ）である時に最大限、圧縮され、また、コンベヤーベッドがその最大幅（Ｂ）である時には最大限、引張られるような寸法となる。
スプリング９aは圧縮状態にあるので、リテイナーブロック８に固定する必要はなく、各スプリング９aは、ロッド１０上を滑って移動し、当該ブロック８のホール８aに押し嵌められるブッシュ２０に単純に突き当るだけである。
ブッシュ２０は穴８aに嵌った時に心棒１２とローラー１１とをブロック８に固定する。
各ガイドトラック６，７には、リテイナーブロック８のガイドローラー１１を受けるような寸法で設けられたＵ型横断面のチャンネル材１３，１４（図２）２本が設けられている。チャンネル材１３，１４は背中合わせに設けられていて、チャンネル材１３はコンベヤーの上面の走行面のためのリテイナーブロックのガイドローラーを動かし、チャンネル材１４はコンベヤーの戻りの走行のためのリテイナーブロックのガイドローラーを動かす。
コンベヤーが矢印Ｍの方向に動いている場合には、ガイドトラック６，７は、終点の走行位置Ｂでのコンベヤーの幅が出発点の走行位置Ａでのコンベヤーの幅より実質的に広くなるようにお互いに拡がる。図１に図示された特定の例において、コンベヤーの有効幅はその出発点Ａで５００mm、その終点Ｂではコンベヤーの有効幅は７５０mmといった具合に、その拡がりの程度を特定の用途に合うように変更しても良い。
本発明の第３実施例を図７〜図１０に示す。この実施例では、特に個々の説明がない限り、コンベヤーの特徴は、図１〜図６を参照して説明されたことと同様であり、不都合のない場合には同じ参照番号が用いられている。
この実施例では、コイルスプリング９ｂは図５ならびに図６を参照して説明したプラスチック製の圧縮コイルスプリングのタイプであるが、図５および図６の実施例のごとく、ブッシュに単純に押し当てるコイルスプリングの端部に代わって、以降で説明するように、各スプリングの各端部はリテイナー８に固定される。コンベヤーの端部Ｂの方向に必要とされるスプリングの伸び代が大きく、必要とされる程度までコイルスプリングを伸ばすことができない可能性のある場合、特に、スプリングが一杯にまで圧縮される条件が長期間にわたり続く場合の、圧縮コイルスプリングを使用して遭遇する問題がこの修正例では解決されている。
図９および図１０における詳細に示すように、各スプリング９bの各端部は、コイルスプリングをリテイナーブロックに固定するために、ブロックにらせん状のネジ山のついた内部キリ穴８bを形成し、各コイルスプリング９bの各端部を当該キリ穴にネジ込むことによって、当該リテイナーブロック８にしっかりと、固定される。出来れば、各スプリングは、ねじりのエネルギーによってスプリングがキリ穴にしっかり保持されるように、３６０度の事前荷重を加えておいて、当該キリ穴と咬合うようにすると良い。各リテイナーブロック８は２個の平行な内部キリ穴８bを有する。各リテイナーブロック８は上述の実施例で説明されているようにガイドローラー１１を受ける。
ガイドトラック２２，２３は、第１実施例でのガイドトラック６，７のようにＵ型横断面のチャンネル材を全長にわたっては備えていない。代わって、ガイドトラック２２，２３は、およそ最大幅でトラックの長さの３分の1、言い換えれば、コンベヤーの最大幅端Ｂに近づくときのトラックの部分に限ってのみＵ型横断面チャンネル材２４，２５を備えている。残りの各ガイドトラック２２，２３に関しては、各ガイドローラーは圧縮バネ９bの力によってトラックとの連動を保ちながら、各リテイナーブロック８のガイドローラー１１が動く滑らかな表面でトラックは単純に形成されている。
しかし、ガイドトラック２２，２３がその最大分離幅に近づくにつれて、圧縮スプリング９bの力が当該ローラーとトラックの側面間の連動を保つには不十分である可能性があるので、各トラックのこの部分では、図１においてチャンネル材１３を参照して説明したのと同様な方法で、ガイドローラー１１を連動させるＵ型横断面のチャンネル材２４，２５が形成される。
コンベヤーのこの実施例は、スプリング９bをリテイナーブロック８から速く、簡単にネジから外すことができるとともに、ガイドトラック２２，２３の長さの大部分が清掃の極めて容易な平たい表面であるので、特に、清掃のための分解が容易である。
上述のコンベヤーは次のように使用される。すなわち、コンベヤー２は冷凍魚の細い切り身を出発点Ａから終点Ｂまで搬送するのに使用される。出発点Ａで、冷凍魚の大きな塊はソーあるいは類似の既知手段を用いて切り身１５にスライスされ、スライス１５は、各切り身の長さがコンベヤーの動く方向Ｍに平行にコンベヤー上に落ちるようになっている。切り身１５は大きな塊から切り出されて、直接コンベヤー上に落ちるので、切り身はお互いに極めて近くに、おそらくは相互にくっつくことすらあり得る状態で横たわる。次の加工処理（このケースでは、フィッシュフィンガーを形成するよう叩いて粉々にする）のために切り身１５は別々に分離されていなくてはならない。
コンベヤー２はドライブチェーン３，４の回転によって駆動し、各対のリテイナーブロック８は、ロッド１０によって近傍のドライブチェーン３，４に固定され、ドライブチェーン３，４の動きによってリテイナーブロック８はガイドトラック６，７（図１）にあるチャンネル材１３に沿って、あるいはトラック２２，２３（図７）に沿って滑る。
トラック６，７またはトラック２２，２３が拡がるにつれて、対のリテイナーブロック８間に固定されたスプリング９，９a、９bはコンベヤーの増加幅を吸収するべく伸びる。
スプリング９，９aが徐々に伸びるにつれて、スプリング上で搬送される魚の切り身１５は、コンベヤーの終端Ｂに届く時までに、切り身１５が次の加工処理のために望ましい間隔になるまでだんだん離れて間隔を拡げる。終端Ｂでは、切り身１５は次の加工処理に向けてコンベヤーから取り除かれ、スプリング９，９a、９b、リテイナーブロック８およびロッド１０はコンベヤーの戻り（すなわち、下部）の走行面上を動く。
コンベヤー上で搬送される製品の間隔を拡げるよりもむしろ狭める必要がある場合には、上述のコンベヤーを反対方向に走らせると良い。さらに、コンベヤーがコンベヤーの搬送長さにわたって１あるいは2回以上にわたって製品を寄せたり、ばらかしたりするように設けることも可能であり、必要な間隔への変更を行うことは単純にガイドトラックの形状を変更することに過ぎない。
それ故、例えば、最初に、塊でコンベヤー上におかれた製品をばらかせた後で、一旦、何らかの方法で加工処理を終えた後、再び寄せ戻す必要がある場合、ガイドトラックをこれに備える形にすることができる。
加えて、上述のように、上述のコンベヤータイプの１あるいは2以上を使って、物品を「単体化する」ことも可能である。
コンベヤーは、ロッド１０に平行に延び、コンベヤーの上下の走行面間に位置し間隔をおいて配置された一連のタイロッド２６（図２のみ）によって固定される。有利なことには、何本かあるいはすべてのタイロッドを、コンベヤーの清掃のためのエアーナイフあるいはウォタースプレー（スパージ）ラインとして形成することも可能である。
製品のくずや、くずれたり落ちたりしたものを集めるために、取外し可能なトレーをコンベヤーの下の方に取付けても良い。
【図１】
2005523797.tif 000003
【図２】
2005523797.tif 000004
【図３】
2005523797.tif 000005
【図４】
2005523797.tif 000006
【図５】
2005523797.tif 000007
【図１２】
2005523797.tif 000008
【図６】
2005523797.tif 000009
【図７】
2005523797.tif 000010
【図８】
2005523797.tif 000011
【図９】
2005523797.tif 000012
【図１０】
2005523797.tif 000013
【図１１】
2005523797.tif 000014
【図１３】
2005523797.tif 000015
【図１４】
2005523797.tif 000016
【図１５】
2005523797.tif 000017
【図１６】
2005523797.tif 000018
【図１７】
2005523797.tif 000019
【図１８】
2005523797.tif 000020
【誤訳訂正書】
【提出日】平成17年1月7日(2005.1.7)
【誤訳訂正１】
【訂正対象書類名】明細書
【訂正対象項目名】全文
【訂正方法】変更
【訂正の内容】
【書類名】      明細書
【技術分野】
【０００１】
本発明は、弾性のある材料でつくられた固定整復用ストッキングの類あるいは、それと同様のものの管状圧縮矯正具を下肢に取付けしやすくすることを目的とした装置および前記矯正具の取外し装置に関する。
【０００２】
静脈潰瘍、静脈瘤、リンパ水腫の治療、さらにもっと一般的には外見上、内部上の静脈不全治療の分野において、弾性材料を使ってつくられる矯正具として、代表的にはメッシュ状の編み物が良く知られている。以下、この一連の資料では、「固定整復用中長靴下」、すなわち、ふとももとふくらはぎを覆う長靴下、上下の下肢２本と腰までの腹部を覆うタイツ、全体で一足をなすもの、あるいは、また、ふくらはぎだけを覆う靴下のことを圧縮矯正具と称するものとする。
【０００３】
圧縮管状矯正具は、手足等が変形する関節リューマチ症の現象がきっかけとなって、すなわち、もっと一般的な言い方をすれば、手足の機動性が制限される場合に、老齢患者、器用さに欠ける患者、時にはリハビリ途上の身体障害者にしばしば悪影響を及ぼす血行疾患の治療に普通に処方される。ところが、それら矯正具の取付けは、これらの人々にとって、特に、圧縮がもっとも強く働く足やくるぶしの場所、なかでも、取付け具合が矯正具の圧力が増すだけますますいつもとても微妙なゾーンとなる足やかかとの当る部分で、取付け具合が良くないリスクも加わって特に困難であることが分かっている。
【０００４】
特に、機動性が頻繁に制約され、少なくとも筋力が落ちている老齢患者により多く悪影響をもたらしている血行疾患の治療に処方される圧縮矯正具の取付け、取外しには第３者の助けが必要とされる。第３者の助けが患者から快く思われていないという事実に加えて、患者達の圧縮矯正具の取付け、取外しに対する無能さのために、医者は圧縮程度の弱い圧縮矯正具の処方を行うようになっており、多くの疾患例で十分な大きさの圧縮力を示す矯正具の取付けによって十分に満足すべき結果が得られているにもかかわらず、あえてこれらの矯正具をもう処方しないようになってきている。
【０００５】
本発明は、極めてシンプルな考え方の器具と装置により操作が簡単にできて、矯正具の装備や、矯正具の患者への取付け時の第三者、あるいは矯正具の取外し時の第三者の準備に人の労力をたいして要しないものを提案することにより、このような取付けおよび取外しが困難な問題の解決を可能にするものである。
【０００６】
それ故、弾性のある素材、あるいは同様のものでできた固定整復用ストッキングのような圧縮管状矯正具の下肢への取付けを容易にすることを目的としたこの装置は、支持アーム、支持アーム上ならびに、万力が閉じて２つの挟みあごがくっついた時に、縮んで未使用状態の管状矯正具を取付けることができるほぼ平行な展開プレートに取付いて対座する２つのあご上で、回転しないよう拘束され長さ方向には滑るように取り付いた管状ケーシング、管状ケーシングと一体で管状ケーシングから横方向に拡がる第１のあご、長手方向には動き管状ケーシング上では回転しないように取付いたスライドから横方向に拡がっている第２のあごを含む展開万力、そして支持アーム上に取付けられたスライドに沿って作用するために展開する第２あごと一体となった万力の展開開始指令機構で、第２のあごを第１のあごから矯正具の最大展開位置に対応するスライドの限界位置まで徐々に遠ざけるための推進機能、スライドと管状ケーシング上の第２あごの自己クサビ機能によって維持される展開機能を含むことを特徴とする。
【０００７】
もうひとつの発明目的は、血行疾患の治療のために患者に処方されている弾性のある繊維素材を編んでつくられたいわば「固定整復用ストッキングあるいは靴下」といった圧縮矯正具のような靴下、ストッキング、タイツあるいは類似のものの取外しのための装置に関するもので、１端に握り部、他端に横断面が先端部からテール部に至るまで減少する三日月形に曲がったへら状部に設けられた心棒を含む柄で構成されるとともに、当該心棒はそのテール部近傍の上部面上でへら状部と一体となっていて、へら状部は先端部から心棒まで上部面が凸状を呈し、心棒手前でへら状部の上部面上に窪み部を形成して、へら状部の下部面と上部面との間に極端な厚み状態をつくり出すよう、心棒からテール部まで全体的に平たく、へら状部の先端部が靴下と患者のふくらはぎとの間に入り、へらの回内運動あるいは回外運動の動きと組合わせた垂直下降方向の動きによって前記靴下が足から脱げるようになっていることを特徴とする。
【０００８】
その他の利点や特徴は、本発明による矯正具の取付けのための装置および前記矯正具の取外しのための装置の非限定的な例として、これらに関する添付図を参照しながらなされる以下に続くいくつかの実施例に関する説明からもっと良く浮かび上がるであろう。
【０００９】
図１上にその全体が示された本発明による装置はお互いに分離、独立した４つの部分を含む。すなわち、装置の上部部分に位置する展開万力１と展開万力１の展開指令機構２、床あるいはその他の適切な支持物に支えられる脚元３、および脚元３より上部にある指令機構２に連結する延長ポスト４である。
【００１０】
機構２は正方形あるいは四角形の断面形状をもつ筒状部によって構成され、延長ポスト４の上部端の部分と相互嵌合によって一体となる束５を含む。束５の上部端は正方形断面形状の筒状部によって構成される水平支持アーム６の１端に固定される。展開万力１は、支持アーム上を長さ方向にすべるが、回転はしないよう拘束されて支持アーム６上に取付けられる。このため、万力１は、軸上で支持アーム６と軽い遊びをもって嵌合され、正方形断面形状を有する筒状部によって構成される管状ケーシング７を含む。万力１は２つのあご、８および９を含み、そのひとつ、すなわち、束５に最も近いあご８は万力の管状ケーシング７に固定され、他方もう一方のあご９はケーシング７上で長さ方向に滑ることができる。固定あご８は、ケーシング７から水平かつ横断方向に伸び、その下部面に固定されるアーム１１と、アーム１１と一体で、これに直角でかつ高さ方向に伸びる竪の展開プレート１２とで構成される。
【００１１】
もう一方のあご、すなわち、移動可能なあご９はケーシング７の外側正方形断面にほぼ対応する空洞の内側断面を持ち、ケーシング７に嵌め込まれるスライド１３を含む。スライド１３は、固定あごと同じ側で平行かつ水平に伸びる水平横方向アーム１４と一体で、スライド１３の内壁下部面および固定あご８のアーム１１と同一平面となっている。アーム１４は、固定あご８の展開プレート１２と平行でかつ同じ高さ方向に伸びる、アーム１４と直角な展開プレート１５と一体をなしている。図２を見れば良く分かるように、スライド１３は、後に詳述する通り、ケーシング７上のスライド１３の動作を指令範囲内で止める、横の竪方向の２面上に横方向に向き合う２つのストッパー１６を有する。
【００１２】
図１および図２を見て分かるように、幅の異なるいくつかの棚で、１２，１５の２枚の板上で直径の異なる固定整復ストッキングが適切な方法で取付けられるように、展開プレート１２，１５は、これらを支持するアーム１１，１４に取付くこれらの板の反対側の端部の方に向けて収斂する輪郭をした、二枚とも同じ形状を有する。たとえば、展開座プレート１５は小さな幅aの上部固定棚１５a、幅aより広い中間固定棚１５b、そして、幅bより広い幅cの下部固定棚１５cを含む。別々の棚１５a,１５b,１５ｃは、直径の異なる固定整復ストッキングの展開縁を引っかけるための「ブレーキ」と送りの役目を果たす凹状の丸みをおびた縁によって分割された相向かい合う凸状の丸みをおびた縁によって決まる。
【００１３】
展開万力１の展開指令機構２は、支持アーム６の上に位置するレバー１７を含み、レバーの下部端の支持アーム６の端部上で水平横方向軸１８周りの回転節状に連結され、かつ、その上部端には操作ハンドル１９を含んでおり、さらに実際には、位置によってその握り操作をやり易くするもうひとつ別のリング状ハンドル２１を含む。
【００１４】
機構２は、また、レバー１７と展開万力１のスライド１３の間に機械的な連携をつくるための２本の枝ロッド２２からなる押しフォークを含む。この２本の枝ロッド２２のついたフォークはＵの字の形をしており、調節可能なレバーの節１８の軸から一定の距離にあるレバー１７上で、水平横方向軸周りに回転節状に連結された回転軸２２aを含む。フォーク２２はまた、回転軸２２aの両端から延びる平行な２本の枝ロッド２２b、２２cを含み、その長さは調節可能であり、また、その両先端は展開万力１のスライド１３の対応するサイドストッパー１６の背後面内に形成される型に接して支持される。
【００１５】
蛇足ながら、図には示していないものの、装置の操作時の損傷リスクを防ぐよう、本装置にフォーク２２の枝２２bおよび２２cの先端の保護ケーシングを形成するために自由端で端部を曲げた板でレバー１７と一体となったものを含めると良い。
【００１６】
展開万力１の展開開始時には、万力のケーシング７は支持アーム６上でへこみ型ストッパー２３がその正面に当って止まっている。このストッパーは、たとえば、同じ円形横断面のパイプ２５の内部に軸を同じくして配置されたこれまた同じ円形横断面の心棒２４と一体となった放射状突起物によって構成される。パイプ２５は支持アーム６の正方形内部横断面の幅にほぼ等しい直径を有し、このアームに溶接される。この放射状突起はパイプ２５の内壁に形成された切欠き穴２６を横切る。この切欠き穴の大きさは、図１および図７上に示されるような突起２３が高さ方向に垂直に伸び、ケーシング７の手前の側面と接触する作動位置と、図９および図１０上に示されるような突起２３が４５度回転している不作動位置との間で、内部心棒２４の４５度回転が可能となるような大きさである。
【００１７】
この不作動位置内で、突起はケーシング７の横断面の対角線上に伸びるとともに、その高さは全体がこの内部横断面の内部に納まるよう十分に低くなっており、これにより、図１１に示すように、ケーシング７は展開万力１を支持アーム６から分離するために外側に自由に滑ることが出来る。内部心棒２４にはその端部にパイプ２５の内部での回転を容易にする握り部２７が設けられ便宜がはかられている。
【００１８】
図には示されていない実施例によると、管状ケーシング７に、突起２３の位置に適当な場所で、あご８、９の予め決められた間隔に対応する、すなわち、一定の固定整復のサイズに対応する切欠きの場所に切欠きを１つ、もしくは、いくつか含めると便利である。さらに、本発明の範囲を逸脱せずに、管状ケーシング７にその自由端の位置で固定ストッパーを含めることも可能である。
【００１９】
さて、次は本発明による装置の機能について、特に図３から図１１までを参照しながら述べる。図３では、展開万力１はあご８，９がくっついた状態の閉鎖位置にあり、固定整復ストッキングＡが縮んで未使用状態で取付けられ、このとき２枚の展開プレート１２，１５は隣り合っている。機構２のレバー１７は垂直位置にあり、その下部部分は水平な支持アーム６および傾斜した押しフォーク２２と直角三角形をなしている。
【００２０】
展開万力１のケーシング７はストッパー２３を形成する突起に支持される手前で支持アーム６にその正面から嵌め込まれている。フォーク２２の押し棒を形成する２本の枝ロッド２２b、２２cの最先端はスライド１３のストッパー１６の背後面内に設けられた型の中に挿入される。
【００２１】
展開万力１の展開を始めさせ、固定整復ストッキングＡの展開を横方向に徐々にはじめさせるためには、装置の利用者は、図４に図示するように、レバー１７を支持アーム６の方向に下向きに徐々に回転させるように引く。レバー１７を回転させる動作の次に、フォーク２２の押し棒２２b、２２cを形成する枝ロッドが、ストッパー２３を形成する突起によって動かないようになっているケーシング７上を移動するスライド１３を前方の方、すなわち、図４上の右の方に押す。その結果、可動あご９は徐々に右の方に移動し、これにより固定整復ストッキングＡが徐々に拡がり始める。図８は部分的に開いた展開万力と部分的に拡張された固定整復ストッキングＡを示す。
【００２２】
図５はレバー１７を９０度回転させた後に到達した最大展開位置での展開万力１を示す。このレバーは支持アーム６の上で水平に寝た状態となる。
【００２３】
最大展開位置で、スライド１３はフォーク２２の枝ロッド２２b、２２cによって右の方に最大限押された状態になる。一旦この最大展開位置に到達すると、レバー１７はフォーク２２もろとも、もとの垂直位置に戻すことができ、その時、展開万力１は自由となる。ケーシング７上にある可動あご９の自動クサビ機能のおかげで、最大限に拡張された時の固定整復ストッキングＡにより作用する戻しの力にもかかわらず、万力は最大展開位置に留まる。
この自動クサビ機能は、クランプの場合におけるのと同様に、固定整復ストッキングＡによって働く引張り効果のもとで可動あご９に軽い戻りの現象を生む。こうして、最大限に展開された固定整復ストッキングＡをつけた展開装置１は図９に示すようになる。
【００２４】
利用者は、図１０上に示す対角線位置にストッパー２３を形成する突起を持ってくるよう心棒２４を４５度回転させて、最大限に展開された固定整復ストッキングＡをつけた展開万力のブレーキを解除することができる。
一旦この位置に達すると、図１１に図示するように、利用者は、支持アーム６上のケーシング７を外側方向に滑らせて展開万力１を残りの装置から完全に取り除くのには、展開万力１を引くだけで十分である。展開した固定整復ストッキングＡにより装置の利用者の下肢上への取付けが容易になる。
【００２５】
図１２は装置の脚元３の非限定的な実施形態を示す。この脚元３は、支持アーム６とレバー１７を含む垂直面Ｐに関して対称な２本のステッキ先端の渦巻き型をしたエルボー付き横棒２８、２８'を含む。２本の横棒２８，２８’の端部には床に４点支持を確保するゴム製、あるいは同様の素材でできたすべり座３１が設けられている。２本の横棒２８，２８'はその大部分の長さで真っ直ぐであり、お互いが一点をめざす等脚台形を形成する。これらの横棒はお互いに最も近接する部分で一体に固定されており、つまりは、正方形あるいは長方形の水平横断面をもつ竪嵌め込み口３２からなる台形脚元の短辺を定めており、この嵌め込み口に、同じく正方形あるいは長方形横断面の管状断面によって構成される延長ポスト４の下部を嵌め込ませることができる。さらに、台形の長辺と一致する横棒２８，２８’の先端部分は、装置の操作中の利用者の脚のために支えを構成する柔軟な素材あるいは丈夫な素材でできた帯状パッド２９で繋がれている。
【００２６】
図１および図１２に示すように、延長ポスト４はその下部部分で、ゴム製のすべり座で支持されるエルボーつきの心棒で構成される相向かい合う２本の脚３３，３３'と一体にできる。
【００２７】
脚３３，３３'は台形の短辺を含む平面Ｐに直角で垂直な平面内にまたがっており、装置の全体の安定性を増すのに役立つ。この安定性は実際には延長ポスト４の下部部分に溶接され、垂直平面Ｐ内に展開する床支持板によって補強される。
【００２８】
本発明による装置は脚元３の竪嵌め込み口３２上に束５を嵌め込むことによって、支持アームを脚元３上に直接取付けて、延長ポスト４なしで利用することも可能である。
【００２９】
図１３および図１４は、延長ポスト４の上部部分に、展開万力１の展開指令機構２の代わりに取付けることのできる装置３４を示す。
【００３０】
いずれにしても、装置３４を、展開装置１の展開指令機構２の下の延長ポスト４の中央部分に取付けることができるということは、本発明の範囲を全く逸脱しないことは明白である。
【００３１】
この装置３４は、固定整復ストッキングＡの使用者に都合が良いよう、高さや水平軸周りの角度の調節が可能な位置に展開万力１を持ってきて、最大限に開いた展開万力１上にある展開された固定整復ストッキングＡの取付けを容易にすることを目的とする。装置３４は正方形あるいは長方形の横断面の断面形状をもつ筒部によって構成され、延長ポスト４上を垂直に動くことができるよう取付けられ、握り部付きネジ３６を使って適当な高さの位置に固定できるスライド３５を含む。スライド３５は、小ハンドルを使って事前にいくつか選定された角度位置のひとつの角度で動かないようすることのできる放射方向アーム３８を、回転させることのできる水平回転軸３７と一体となっている。例えば、回転軸３７には、正多角形の形をした横断面を持った端部部分を含ませて、アーム３８内に施された同形状の穴に嵌るようにすることができる。支持アーム３８の自由端には、アーム３８に直角な水平軸の周りに回転できるよう中央軸共有嵌め込み口４２と一体の円板４１が取付けられる。この嵌め込み口４２は正方形横断面を持ち、同じく正方形横断面を有する展開万力１のケーシング７に嵌る。円板４１とこれを動かす展開万力１の回転を容易にするために、円板４１はおよそ１４０度の扇形状に拡がる大径操作ハンドルと一体となっている。さらに、円板４１とそれを動かす展開万力１が、円板４１の軸周りのいくつかの異なる角度位置のどれか任意の位置に回転しないで静止できるように、図示されてはいないが、円板４１には、その側面のうちの１面上に鋼球付き冠状歯車装置と協働する周辺に打痕型のついた王冠キャップが備えられている。
【００３２】
また、装置の維持のために、後で詳述する固定整復ストッキングＡの取付け、取外しを容易にするために、スライド３５あるいは回転軸３７に固定された休憩スペース４４を設けることもできる。
【００３３】
図１５上で、開閉万力１の展開指令機構２の壁面支持の例を示す。この支持は垂直面によって壁に固定され、三角形の垂直断面をもつ台座金物４５によって構成される。台座金物４５は、また、下方にかつ１４度程度の角度aだけ外側に傾いた上部面を有する。この表面には、正方形、あるいは長方形の横断面の垂直嵌め込み口４６が固定されており、この上に支持アーム６と一体となった束５を嵌め込むことができる。このため、嵌め込み口４６とレバー１７は、レバー１７が非作動の停止位置にあるとき水平面と角度aをなしている。この水平面に対し軽く上方向に傾いたレバー１７の配置により、装置の利用者は、展開万力１の展開を開始させるために、その筋力をより有効に利用できるようになる。
【００３４】
展開万力１の展開起動のためのこれまでの説明は、マニアルによる指令の機構２を含む装置に関してなされたが、ある実施例では、万力１のケーシング７上のスライド１３を押すために、この機構を、例えば、電気ジャッキを利用してモーター駆動化できることは勿論である。
【００３５】
さらに、突起２３と心棒２４を含むストッパー装置では、支持アーム６の向かい合う内壁２面に形成される向かい合う２つの穴に横方向に嵌る簡単な留めピンで置き換えることもできる。
【００３６】
加えて、本発明による装置は、また、靴下、ストッキング、タイツあるいはその他同様のものの取付けを容易にするためにも応用されるとともに、ここで与えられたばかりの例は、どの場合でも本発明の応用分野に関して限定的な特定の例示でしかないことも明らかである。
【００３７】
図１３に示される休憩スペース４４上で支持を取るのに適した図１６に示される靴下の取外しのための装置は、その第１先端、すなわち心棒１０２の上部端に、人間工学により右利きや左利きの握力の便宜に対応した握り部１０３を、その第２の先端すなわち、その下部には昔からの靴べらに類似した三日月型に湾曲したへら状部１０４を設けた、全体に縦方向に伸びる心棒１０２を含む柄１０１で構成される。
【００３８】
図１７を参照すると、へら状部１０４はその先端部１０５からそのテール部１０６まで減少する横断面を呈しており、柄１０１の心棒１０２は、テール部１０６の近傍の上部面１０７上でへら状部１０４と一体になっていて、先端部１０５とテール部１０６はこうしてへら状部１０４の胴体に近い端部と末端部にそれぞれ対応している。図１８を参照すると、上部面１０７はその先端部１０５から心棒１０２まで凸状であり、心棒１０２からテール部１０６まで全体的に平たい。
【００３９】
さらに、へら状部１０４は、上部面１０７上に窪み部１０９を形成している心棒１０２の手前で、へら状部１０４の下部面１０８と上部面１０７との間に極端な厚みの状態を作り出すよう、凸面の上部面１０７の曲率半径にほぼ等しい凹面の曲率半径をもちながら中心は異なるという下部面１０８をなしている。
【００４０】
へら状部１０４が、その先端部１０５から心棒１０２まで凸状で、心棒１０２からテール部１０６まで全体では平たい上部面１０７を呈し、かつ、へら状部１０４の下部面１０８と上部面１０７間に極端な厚みの状態をつくり出すために、凸状の上部面の曲率半径より大きい曲率半径の凹状下部面１０８を呈することができるということは、本発明の範囲を逸脱することなく当然である。
【００４１】
図１７と図１８を参照すると、上部面１０７は、後に分かるように、矯正具の取外しの時にこの窪み部に患者の足のかかとを滑らせると便利である、その先端部１０５から窪み部１０９まで拡がる溝部１１０を含んでいる。溝部１１０は母線が先端部１０５からへら状部１０４（図１７）の窪み部１０９まで減少する円弧状の断面形状を呈する。
【００４２】
さらに、図１７を参照すると、へら状部は、心棒１０２の軸Ａが、へら状部１０４に関して先端部１０５と心棒１０２の固定点を通る直線dと９０度から１８０度の間に含まれる角度θ、できれば１５７度の角度を成すといった具合に、その下部端部でのテール部１０６の近傍で上部面１０７上に施された盲穴１１１への嵌め込み接合によって心棒１０２と一体となっている。この特殊な実施例の中で、心棒１０２を下部部分で適当な角度のエルボーに曲げると便利で、つまり、へら状部１０４と一体となる端部の近傍でそのへらが心棒１０２と１５７度の角度を成すように曲げると良い。
【００４３】
穴軸が心棒１０２の軸Ａと交わるように、盲穴１１１がへら状部１０４の上部面１０７に施され得るということは、本発明の範囲を逸脱することなく当然のことである。
【００４４】
本発明をなす装置の特に有利な実施例によれば、図には示されていないけれども、心棒１０２はその一端でへら状部１０４と一体をなした中空の第１部分から構成され、その中を握り部１０３が設けられた第２の部分が滑るもので、第１の中空部分には患者の体つきに応じて心棒１０２の寸法を調節するための、たとえば蝶ネジのようなもので第２の部分を固定する手段を含んでいるものである。
【００４５】
しかしながら、心棒１０２の長さが握り部１０３からへら状部１０４まで５１ｃｍで、へら状部１０４の長さが２２５ｃｍ、かつその最大幅が４５ｃｍの本発明による装置が、身体障害者であるか、ないかを問わずに任意の体つきの患者が利用できて便利であることが確認されている。
【００４６】
次に、図１７を参照してふくらはぎを覆う靴下型の矯正具を取外すための本発明による装置の機能について説明しよう。
【００４７】
患者は握り部１０３で装置を掴み、矯正具とふくらはぎとの間でへら状部１０４の先端部１０５の位置決めを行う。次に患者は、ふくらはぎの対称性を考慮しながら、図１６の両矢印に示されるへら状部１０４の回内あるいは回外の動きと組合わせて、この端部が患者の足のかかとに届くまで、図１６上に示された矢印bが示すような垂直に下降する動きを操作する。回内の動きあるいは回外の動きとは、それぞれへら状部１０４の外部から内部方向に向けた動きならびに、内部から外部方向への動き、すなわち、へら状部１０４のふくらはぎから患者の矢状面（上下）方向への動きと、へら状部１０４のふくらはぎから外部方向への動きのことをそれぞれいう。
【００４８】
次に、患者のかかとが溝部１１０の中に支えを取るといったように、前記へら状部１０４が矯正具と患者のふくらはぎとの間に常に位置して、へら状部１０４の先端部１０５が患者の足のかかとの下に位置するまで、患者は、垂直方向の下降の動きを続ける。次に、装置の前方への動きによって、つまり、足の先端方向への動きによって、足から矯正具を最終的に取り除くことになる患者の足のあたり部と土踏まずの部分との間に矯正具の開放端がくるように、極端な厚みの部分ｅが患者のかかとから矯正具を取り除く窪み部１０９まで、患者のかかとは溝部１１０に沿ってすべることとなる。
【００４９】
矯正具の開放端が患者の足のあたり部分と土踏まずの部分との間にくる時に、患者がへら状部１０４のテール部１０６を床上に置いて、その足から矯正具を最終的に取り除き、脚の重さから解放されて、その足の前後の動きが行われることになるのは当然である。さらに、本発明をなす装置は、足の当たり部と当該患者のかかと部との間で矯正具の通り具合が容易になるように、患者の足上への矯正具の取付けにも利用できて便利なこともいうまでもない。
【００５０】
最後に、本発明をなす靴下の矯正具あるいはその他同様のものの取外しのための装置のへら状部１０４は、プラスチック素材、金属、牛の角あるいは類似のものといったあらゆるタイプの素材中で得られることができることや、例としてあげたものは本発明の適用分野のごく限定的なものであって、どんな場合でも特別な例を例示しているに過ぎないということも勿論のことである。
【００５１】
【図面の簡単な説明】
【図１】    本発明による装置の一実施形態の透視図である。
【図２】    図１に示された装置の展開万力の部分透視図である。
【図３】    万力のあご上に置かれた矯正具の最大伸張位置までの展開万力の様々な位置での展開指令機構を部分的に図示する模式立面図である。
【図４】    万力のあご上に置かれた矯正具の最大伸張位置までの展開万力の様々な位置での展開指令機構を部分的に図示する模式立面図である。
【図５】    万力のあご上に置かれた矯正具の最大伸張位置までの展開万力の様々な位置での展開指令機構を部分的に図示する模式立面図である。
【図６】    閉じた状態の初期位置にある展開万力についてのスケールを大きくした平面図である。
【図７】    図６のVII-VII断面で切った縦断面図である。
【図８】    展開中の展開万力に関する平面図である。
【図９】    展開万力の展開開始時の位置および最大展開位置における平面図である。
【図１０】  図９におけるＸ―Ｘ断面で切った縦断面図である。
【図１１】  装置の支持アームだけを切り離して示した展開万力の最大展開位置における平面図である。
【図１２】  装置の脚元の平面図である。
【図１３】  調節可能な位置範囲内での展開万力の展開装置の一実施形態を示す透視図である。
【図１４】  図１３上に示された展開装置の模式立面図である。
【図１５】  壁に固定され、展開万力の展開指令機構を支持する台座金物の模式立面図である。
【図１６】  本発明による圧縮矯正具の取外し用装置の透視図である。
【図１７】  図１６の断面Ｂ―Ｂ'面からみた水平断面図である。
【図１８】  図１６に示された本発明による装置の矢状断面部分図である。
【誤訳訂正２】
【訂正対象書類名】特許請求の範囲
【訂正対象項目名】全文
【訂正方法】変更
【訂正の内容】
【特許請求の範囲】
【請求項１】
支持アーム（６）、支持アーム（６）上で、長さ方向には滑り、回転は拘束された管状ケーシング（７）、および、ほぼ平行で、万力（１）が閉じて、２枚のあご（８，９）がくっついた状態の時にその上で管状矯正具の取付けが身体を背後に引いた静止状態でできる展開プレート（１２，１５）つきの２枚のはさみあご（８，９）で、管状ケーシング（７）と一体でこのケーシング（７）から横方向に拡がる第１あご（８）、長さ方向に動くよう、管状ケーシング（７）上では回転しないよう拘束されて取付いたスライド（１３）から横に拡がる第２あご（９）を含む展開万力（１）、そして、第２あご（９）を第１あご（８）から矯正具の最大展開位置に対応するスライド（１３）の端部位置まで徐々に遠ざけるための押下げ機能と、スライド（１３）ならびに管状ケーシング（７）上の第２あご（９）の自動クサビ機能によって維持される展開機能とをスライド（１３）上で第２あご（９）と一体とで作動させるために支持アーム（６）上に取付けられる展開万力（１）の展開指令機構（２）を含むことを特徴とする、弾性のある素材あるいは類似のものでできた管状圧縮矯正具、固定整復ストッキング類の下肢への取付けを容易にすることを目的とした装置。
【請求項２】
第１のあご（８）が管状ケーシング（７）に横方向に固定されたアーム（１１）および第１アーム（１１）から直角に拡がる第１展開プレート（１２）とから構成され、第２あご（９）はスライド（１３）に横方向に固定された第２アーム（１４）と第２アーム（１４）から直角に拡がる第２展開プレート（１５）とで構成されることを特徴とする請求項１による装置。
【請求項３】
展開プレート（１２，１５）がこれらを支持するアーム（１１，１４）と向かい合う端部の方に収斂する輪郭と同じ形状を有し、向かい合って拡がり、固定整復ストッキングの展開縁の引っかかりと保持のためブレーキの役割を果たす凹状の丸みを帯びた縁によって分離される凸状の相対する丸みを帯びた縁によって決まる幅がいくつかの段階に変化する（１５a、１５b、１５c）ことを特徴とする請求項２による装置。
【請求項４】
スライド（１３）が、展開万力（１）の展開段階の間にスライド（１３）上を押す力を働かせるために、その横面上に横方向に相対するストッパー（１６）を設けていることを特徴とする請求項１から３までのいずれかひとつの請求項による装置。
【請求項５】
支持アーム（６）、展開万力（１）のケーシング（７）およびそのスライド（１３）が長方形あるいは正方形の横断面を有する管状断面形状の筒部で構成されることを特徴とする請求項１から４までのいずれかのひとつの請求項による装置。
【請求項６】
展開万力（１）の展開段階の間に支持アーム（６）上で展開万力（１）の管状ケーシング（７）を動かないようにするへこむことの可能なストッパー（２３）を含んでいることを特徴とする請求項１から５までのいずれかひとつの請求項による装置。
【請求項７】
へこむことの可能なストッパー（２３）は、支持アーム（６）に溶接される円形横断面のパイプ（２５）の内部に同じ軸上に重ねて配置される同じく円形横断面の心棒（２４）と一体の放射状突起によって構成され、この放射状突起（２３）はパイプ（２５）の内部に形成される横方向の切り欠き（２６）を横断し、その穴の大きさは、ストッパー（２３）を形成する突起が、管状ケーシング（７）の手前の側面と接触している作動位置と、突起（２３）が、４５度回転した後、管状ケーシング（７）の横断面の対角線方向に伸びる不作動位置との間で、心棒（２４）を４５度回転させることができるだけのものであって、この突起の高さをこの横断面の内部に全体が納まるのに十分なだけ低くしたことを特徴とする請求項６による装置。
【請求項８】
展開万力（１）の展開指令機構（２）が、支持アーム（６）上の一端で軸（１８）周りに節接合されたレバー（１７）と、レバー（１７）と展開万力（１）のスライド（１３）の間に機械的な連携を生み出すための２本の枝ロッド（２２）のついた押下げフォークを含み、このフォーク（２２）は、レバー（１７）上で、レバー（１７）の節接合軸（１８）から調節可能な一定距離に節接合された回転軸（２２a）および端部が展開万力（１）のスライド（１３）のサイドストッパー（１６）に当って支持される長さ調節が可能な２本の平行な枝ロッド（２２b、２２c）を含むことを特徴とする請求項１から７までのいずれかひとつの請求項による装置。
【請求項９】
支持アーム（６）が床面支持（３，４） あるいは壁面支持（４５）の支持物上で取外しが可能なように取付けられていることを特徴とする請求項１から８までのいずれかひとつの請求項による装置。
【請求項１０】
床面上の支持物が、脚元（３）の上部面上で、支持アーム（６）と一体となった垂直な束（５）との相互嵌め込み接合を目的とした竪嵌め込み口（３２）と一体の脚元（３）を含むか、あるいは支持アーム（６）が上部部分と相互の嵌め込み接合によって組立てられる管状断面によって構成された延長ポスト（４）の下部部分と一体となった脚元（３）を含むことを特徴とする請求項９による装置。
【請求項１１】
脚元（３）が、その４端が、実際、ゴム製あるいは類似の素材でできたすべり座（３１）を仲介して床に支持を取っており、２本の横棒（２８，２８'）はその長さの大部分が真っ直ぐで、これらの横棒はお互いに等脚台形をなして１点に軽く収斂している、垂直平面（９）に関して対称な２本のステッキ先端のように曲がったエルボー付き横棒（２８，２８’）、横棒（２８，２８'）によって形成される等脚台形の短辺の場所に位置する延長ポスト（４）あるいは支持アーム（６）を嵌め込む竪嵌め込み口（３２）、および、柔軟なあるいは丈夫な素材でできた帯状パッド（２９）によってお互いがつながっていて、利用者の足のための支えを構成している台形の長辺に一致する横棒（２８，２８’）の端部部分を含むことを特徴とする請求項１０による装置。
【請求項１２】
延長ポスト（４）の上部部分で、装置の利用者に都合の良いように高さや水平軸周りの角度を調節できる位置に展開万力（１）を持ってくるための装置（３４）を含むことを特徴とする請求項１０および１１のいずれかの請求項による装置。
【請求項１３】
展開装置（３４）が、延長ポスト（４）上を垂直方向に動くよう取付けられ、握り付きネジ（３６）を使って高さを固定することができるスライド（３５）、小ハンドル（３９）を使って事前に選択されたいくつかの角度のうちのどれかひとつの角度で動かないようにできる放射方向アーム（３８）がその周りに回転できる水平回転軸（３７）と一体であるスライド（３５）、中央共有嵌め込み口（４２）と一体で、放射方向アーム（３８）の自由端でアーム（３８）に直角な水平軸の周りに回転するよう取付けられた円板（４１）、展開万力（１）の正方形横断面をもつ管状ケーシング（７）に嵌る正方形横断面をもつ嵌め込み口（４２）、大径操作ハンドル（４３）と一体で、それら正面の一面上に、円板（４１）の回転を止めることができるよう鋼球付き冠状歯車装置と共働する周囲に打痕くぼみ型のついた王冠キャップが設けられた円板（４１）、そして円板（４１）の軸周りのいくつかの異なる角度の任意のひとつに止まる展開万力を含むことを特徴とする請求項１２による装置。
【請求項１４】
装置の壁面支持が、アーム方向に傾斜している上部面と、この面上で支持アーム（６）の嵌め込みができる長方形または正方形の横断面の垂直嵌め込み口（４６）を含む三角形の垂直断面をもつ台座金物（４５）によって構成されることを特徴とする請求項９による装置。
【請求項１５】
当該心棒（１０２）はそのテール部（１０６）近傍でへら状部（１０４）と一体でその第１端に握り部（１０３）とその第２端には三日月型に曲がって、その先端（１０５）からそのテール部（１０６）まで横断面が減少するへら状部（１０４）を備えた心棒（１０２）を含む柄（１０１）で構成され、また、へら状部（１０４）がその先端部（１０５）から心棒（１０２）まで凸面状の上部面（１０７）を呈し、全体では心棒（１０２）からテール部（１０６）まで平たく、また下部面（１０８）がへら状部（１０４）の先端部（１０５）が患者の靴下とふくらはぎの間に導入され、当該靴下が垂直方向に下がるへら状部（１０４）の回内あるいは回外の運動を組合わせた動きによって足から取り外されるように、へら状部（１０４）の上部面（１０７）上に窪み部（１０９）を形成して、心棒（１０２）の手前でへら状部（１０４）の下部面（１０８）と上部面（１０７）との間に極端な厚み状態（e）をつくるよう、凹面を呈することを特徴とする圧縮矯正具、すなわち、血管上の疾患の治療のため患者に処方される弾性繊維の素材編み物でできた固定整復中長靴下といった、中靴下、長靴下、タイツの取外しのための装置。
【請求項１６】
へら状部（１０４）の上部面（１０７）がその先端部（１０５）からその窪み部（１０９）まで拡がる溝部（１１０）を含むことを特徴とする請求項１５による装置。
【請求項１７】
溝部（１１０）の断面が、母線が先端部（１０５）からへら状部（１０４）の窪み部（１０９）まで減少する円弧の形状をなすことを特徴とする請求項１６による装置。
【請求項１８】
心棒（１０２）の軸が、へら状部（１０４）の先端部（１０５）とへら状部（１０４）および心棒（１０２）の固定点を通る直線dと９０度から１８０度の間に含まれる角度をなすといった具合にへら状部（１０４）が心棒（１０２）と一体化されていることを特徴とする請求項１５から１７までのいずれかひとつの請求項による装置。
【請求項１９】
へら状部（１０４）が心棒（１０２）と１５７度の角度をなすことを特徴とする請求項１８による装置。
【請求項２０】
心棒（１０２）がへら状部（１０４）と一体となった端部近傍で適切な角度で曲げられていることを特徴とする請求項１８および１９のいずれかの請求項による装置。
【請求項２１】
心棒（１０２）が、テール部（１０６）の近傍でへら状部（１０４）の上部面（１０７）上に施された盲穴（１１１）に嵌め込み式で接合されることを特徴とする請求項１５から２０までのいずれかひとつの請求項による装置。
【請求項２２】
心棒（１０２）が握り部からへら状部（１０４）まで５１ｃｍの長さをなすことを特徴とする請求項１５から２１までのずれかひとつの請求項による装置。
【請求項２３】
へら状部（１０４）が長さ２２５ｍｍ、最大幅が４５ｍｍをなすことを特徴とする請求項１５から２２までのずれかひとつの請求項による装置。
【請求項２４】
心棒（１０２）が、へら状部（１０４）と一体となった中空の第１部分から構成され、その中を握り部（１０３）を備えた第２部分が滑り、患者の体型に応じて心棒（１０２）の寸法を調整するために中空の第１部分が第２部分を固定する手段を含んでいることを特徴とする請求項１５から２３までのいずれかひとつの請求項による装置。
【手続補正書】
【提出日】平成17年1月19日(2005.1.19)
【手続補正１】
【補正対象書類名】特許請求の範囲
【補正対象項目名】全文
【補正方法】変更
【補正の内容】
【特許請求の範囲】
【請求項１】
当該心棒（２）はそのテール部（６）近傍でへら状部（４）と一体でその第１端に握り部（３）とその第２端には三日月型に曲がって、その先端（５）からそのテール部（６）まで横断面が減少するへら状部（４）を備えた心棒（２）を含む柄（１）で構成され、また、へら状部（４）がその先端部（５）から心棒（２）まで凸面状の上部面（７）を呈し、全体では心棒（２）からテール部（６）まで平たく、また下部面（８）がへら状部（４）の先端部（５）が患者の靴下とふくらはぎの間に導入され、当該靴下が垂直方向に下がるへら状部（４）の回内あるいは回外の運動を組合わせた動きによって足から取り外されるように、へら状部（４）の上部面（７）上に窪み部（９）を形成して、心棒（２）の手前でへら状部（４）の下部面（８）と上部面（７）との間に極端な厚み状態（e）をつくるよう、凹面を呈することを特徴とする圧縮矯正具、すなわち、血管上の疾患の治療のため患者に処方される弾性繊維の素材編み物でできた固定整復中長靴下といった、中靴下、長靴下、タイツなどの取外しのための装置。
【請求項２】
へら状部（４）の上部面（７）がその先端部（５）からその窪み部（９）まで拡がる溝部（１０）を含むことを特徴とする請求項１による装置。
【請求項３】
溝部（１０）の断面が、母線が先端部（５）からへら状部（４）の窪み部（９）まで減少する円弧の形状をなすことを特徴とする請求項２による装置。
【請求項４】
心棒（２）の軸が、へら状部（４）の先端部（５）とへら状部（４）および心棒（２）の固定点を通る直線（ｄ）と９０度から１８０度の間に含まれる角度をなすといった具合にへら状部（４）が心棒（２）と一体化されていることを特徴とする請求項１から３までのいずれかひとつの請求項による装置。
【請求項５】
へら状部（４）が心棒（２）と１５７度の角度をなすことを特徴とする請求項４による装置。
【請求項６】
心棒（２）がへら状部（４）と一体となった端部近傍で適切な角度で曲げられていることを特徴とする請求項４および５のいずれかの請求項による装置。
【請求項７】
心棒（２）が、テール部（６）の近傍でへら状部（４）の上部面（７）上に施された盲穴（１１）に嵌め込み式で接合されることを特徴とする請求項１から６までのいずれかひとつの請求項による装置。
【請求項８】
心棒（２）が握り部からへら状部（４）まで５１ｃｍの長さをなすことを特徴とする請求項１から７までのずれかひとつの請求項による装置。
【請求項９】
へら状部（４）が長さ２２５ｍｍ、最大幅が４５ｍｍをなすことを特徴とする請求項１から８までのずれかひとつの請求項による装置。
【請求項１０】
心棒（２）が、へら状部（４）と一体となった中空の第１部分から構成され、その中を握り部（３）を備えた第２部分が滑り、患者の体型に応じて心棒（２）の寸法を調整するために中空の第１部分が第２部分を固定する手段を含んでいることを特徴とする請求項１から９までのいずれかひとつの請求項による装置。
【手続補正２】
【補正対象書類名】明細書
【補正対象項目名】全文
【補正方法】変更
【補正の内容】
【発明の詳細な説明】
【技術分野】
【０００１】本発明は、靴下、長靴下、タイツまたは同様のものを取り外すための装置、さらに特に詳しくは、編まれた弾性繊維で作られ、血行疾患を治療する患者のために処方された圧縮矯正具に関する。【０００２】静脈潰瘍、静脈瘤、リンパ水腫の治療、さらにもっと一般的には外見上、内部上の静脈不全治療の分野において、弾性材料を使ってつくられる矯正具として、代表的にはメッシュ状の編み物が良く知られている。以下、この一連の資料では、「固定整復用中長靴下」、すなわち、ふとももとふくらはぎを覆う長靴下、上下の下肢２本と腰までの腹部を覆うタイツ、全体で一足をなすもの、あるいは、また、ふくらはぎだけを覆う靴下のことを圧縮矯正具と称するものとする。【０００３】特に、機動性が頻繁に制約され、少なくとも筋力が落ちている老齢患者により多く悪影響をもたらしている血行疾患の治療に処方される圧縮矯正具の取付け、取外しには第３者の助けが必要とされる。第３者の助けが患者から快く思われていないという事実に加えて、患者達の圧縮矯正具の取付け、取外しに対する無能さのために、医者は圧縮程度の弱い圧縮矯正具の処方を行うようになっており、多くの疾患例で十分な大きさの圧縮力を示す矯正具の取付けによって十分に満足すべき結果が得られているにもかかわらず、あえてこれらの矯正具をもう処方しないようになってきている。【０００４】  これらの矯正具を取付ける問題は他の場所で記述されており、本発明の目的は患者の下肢上の圧縮構成具または同様のものを取り外すための、使用が簡単で、製造が安価な装置を提供することである。【０００５】  この点において、本発明によれば、「固定整復用中長靴下」と呼ばれる圧縮矯正具で、編まれた弾性繊維で作られ、血行疾患を治療する患者のために処方された靴下、長靴下、タイツまたは同様のものを取り外すための装置は、その心棒の第１先端に握り部を、その第２の先端には先端部からテール部にかけて横断面が減少し、三日月型に湾曲したへら状部を設けた、全体に縦方向に伸びる心棒を含む柄で構成され、上記心棒はへら状部のテール部近傍の上面でへら状部と一体化され、へら状部は先端部から心棒までが凸面で、心棒からテール部までが全体的に平坦な上面と凹型の下面を有して、へら状部の下面と上面との間に心棒の手前で極端な厚みを生成し、それによってへら状部の上面に隆起を形成し、その結果、へら状部の先端部が患者の靴下とふくらはぎの間に挿入され、回内運動または回外運動と組み合わされたへら状部の垂直下降する運動によって上記靴下が足から取り外されるという特徴がある。【０００６】その他の利点や特徴は、本発明による矯正具の取外しのための装置の非限定的な例として、これらに関する添付図を参照しながらなされる以下に続くいくつかの実施例に関する説明からもっと良く浮かび上がるであろう。【０００７】図１に示される靴下の取外しのための装置は、その第１先端、すなわち心棒の上部端に、人間工学により右利きや左利きの握力の便宜に対応した握り部３を、その第２の先端すなわち、その下部には昔からの靴べらに類似した三日月型に湾曲したへら状部４を設けた、全体に縦方向に伸びる心棒２を含む柄１で構成される。【０００８】図２を参照す��と、へら状部４はその先端部５からそのテール部６まで減少する横断面を呈しており、柄１の心棒２は、テール部６の近傍の上部面７上でへら状部４と一体になっていて、先端部５とテール部６はこうしてへら状部４の胴体に近い端部と末端部にそれぞれ対応している。図３を参照すると、上部面７はその先端部５から心棒２まで凸状であり、心棒２からテール部６まで全体的に平たい。【０００９】さらに、へら状部４は、上部面７上に窪み部９を形成している心棒２の手前で、へら状部４の下部面８と上部面７との間に極端な厚みの状態を作り出すよう、凸面の上部面７の曲率半径にほぼ等しい凹面の曲率半径をもちながら中心は異なるという下部面８をなしている。【００１０】へら状部１０４が、その先端部５から心棒２まで凸状で、心棒２からテール部６まで全体では平たい上部面７を呈し、かつ、へら状部４の下部面８と上部面７間に極端な厚みの状態を作り出すために、凸状の上部面の曲率半径より大きい曲率半径の凹状下部面８を呈することができるということは、本発明の範囲を逸脱することなく当然である。【００１１】図２と図３を参照すると、上部面７は、後に分かるように、矯正具の取外しの時にこの窪み部に患者の足のかかとを滑らせると便利である、その先端部５から窪み部９まで拡がる溝部１０を含んでいる。溝部１０は母線が先端部５からへら状部４（図２）の窪み部９まで減少する円弧状の断面形状を呈する。【００１２】さらに、図２を参照すると、へら状部は、心棒２の軸Ａが、へら状部４に関して先端部５と心棒２の固定点を通る直線dと９０度から１８０度の間に含まれる角度θ、できれば１５７度の角度を成すといった具合に、その下部端部でのテール部６の近傍で上部面７上に施された盲穴１１への嵌め込み接合によって心棒２と一体となっている。この特殊な実施例の中で、心棒２を下部部分で適当な角度に曲げると便利で、つまり、へら状部４と一体となる端部の近傍でそのへらが心棒２と１５７度の角度を成すように曲げると良い。【００１３】穴軸が心棒２の軸Ａと交わるように、盲穴１１がへら状部４の上部面７に施され得るということは、本発明の範囲を逸脱することなく当然のことである。【００１４】本発明をなす装置の特に有利な実施例によれば、図には示されていないけれども、心棒２はその一端でへら状部４と一体をなした中空の第１部分から構成され、その中を握り部３が設けられた第２の部分が滑るもので、第１の中空部分には患者の体つきに応じて心棒２の寸法を調節するための、たとえば蝶ネジのようなもので第２の部分を固定する手段を含んでいるものである。【００１５】しかしながら、心棒２の長さが握り部３からへら状部４まで５１ｃｍで、へら状部４の長さが２２５ｍｍ、かつその最大幅が４５ｍｍの本発明による装置が、身体障害者であるか、ないかを問わずに任意の体つきの患者が利用できて便利であることが確認されている。【００１６】次に、図２を参照してふくらはぎを覆う靴下型の矯正具を取外すための本発明による装置の機能について説明しよう。【００１７】患者は握り部３で装置を掴み、矯正具とふくらはぎとの間でへら状部の先端部５の位置決めを行う。次に患者は、ふくらはぎの対称性を考慮しながら、図１の両��印に示されるへら状部４の回内あるいは回外の動きと組合わせて、この端部が患者の足のかかとに届くまで、図１上に示された矢印bが示すような垂直に下降する動きを操作する。回内の動きあるいは回外の動きとは、それぞれへら状部４の外部から内部方向に向けた動きならびに、内部から外部方向への動き、すなわち、へら状部４のふくらはぎから患者の矢状面（上下）方向への動きと、へら状部４のふくらはぎから外部方向への動きのことをそれぞれいう。【００１８】次に、患者のかかとが溝部１０の中に支えを取るといったように、前記へら状部４が矯正具と患者のふくらはぎとの間に常に位置して、へら状部４の先端部５が患者の足のかかとの下に位置するまで、患者は、垂直方向の下降の動きを続ける。次に、装置の前方への動きによって、つまり、足の先端方向への動きによって、足から矯正具を最終的に取り除くことになる患者の足のあたり部と土踏まずの部分との間に矯正具の開放端がくるように、極端な厚みの部分ｅが患者のかかとから矯正具を取り除く窪み部９まで、患者のかかとは溝部１０に沿ってすべることとなる。【００１９】矯正具の開放端が患者の足のあたり部分と土踏まずの部分との間にくる時に、患者がへら状部４のテール部６を床上に置いて、その足から矯正具を最終的に取り除き、脚の重さから解放されて、その足の前後の動きが行われることになるのは当然である。さらに、本発明をなす装置は、足のあたり部と当該患者のかかと部との間で矯正具の通り具合が容易になるように、患者の足上への矯正具の取付けにも利用できて便利なこともいうまでもない。【００２０】最後に、本発明をなす靴下の矯正具の取外しのための装置のへら状部４は、プラスチック素材、金属、牛の角あるいは類似のものといったあらゆるタイプの素材中で得られることができることや、例としてあげたものは本発明の適用分野のごく限定的なものであって、どんな場合でも特別な例を例示しているに過ぎないということも勿論のことである。【００２１】
【図面の簡単な説明】
【図１】本発明による圧縮矯正具の取外し用装置の透視図である。
【図２】図１の断面II―II'面からみた水平断面図である。
【図３】図１に示された本発明による装置の矢状断面部分図である。
【手続補正３】
【補正対象書類名】図面
【補正対象項目名】全図
【補正方法】変更
【補正の内容】
【図１】
2005523797.tif 000021
【図２】
2005523797.tif 000022
【図３】
2005523797.tif 000023
【国際調査報告】
2005523797.tif 000024
2005523797.tif 000025
2005523797.tif 000026
2005523797.tif 000027
2005523797.tif 000028
2005523797.tif 000029
2005523797.tif 000030
2005523797.tif 000031